(57)【要約】【課題】  中央監視設備の設けられた電力系統において、他の変電所の受変電設備に関する情報を閲覧することのできる受変電設備情報閲覧装置を提供することにある。【解決手段】  中央監視設備２と情報を送受信可能に接続され、他変電所１Ａ〜１Ｎの受変電設備に関する情報である受変電設備情報のうち閲覧する情報である閲覧情報を特定するための条件をモニター１２から入力し、この条件に基いて、電力盤６に設けられた専用基板７は、中央監視設備２にアクセスし、モニター１２に閲覧情報を送信する受変電設備情報閲覧装置。【選択図】      図１
2008061353.tif 000002
【特許請求の範囲】
【請求項１】
少なくとも２つの受変電設備を監視する中央監視設備と情報を送受信可能に接続され、前記受変電設備に関する情報である受変電設備情報を閲覧するための受変電設備情報閲覧装置であって、
前記受変電設備情報のうち閲覧する情報である閲覧情報を特定するための条件を取得する閲覧情報条件取得手段と、
前記閲覧情報条件取得手段により取得した条件に基いて、前記中央監視設備から前記閲覧情報を取得する閲覧情報取得手段と、
前記閲覧情報取得手段により取得した前記閲覧情報を閲覧する閲覧手段と
を有することを特徴とする受変電設備情報閲覧装置。
【請求項２】
少なくとも２つの受変電設備を監視する中央監視設備と情報を送受信可能に接続され、前記受変電設備に関する情報である受変電設備情報を閲覧するための受変電設備情報閲覧装置であって、
前記受変電設備情報のうち閲覧する情報である閲覧情報を特定するための条件を取得する閲覧情報条件取得手段と、
前記閲覧情報条件取得手段により取得した条件に基いて、前記中央監視設備から前記閲覧情報を取得する閲覧情報取得手段と、
前記閲覧情報取得手段により取得した前記閲覧情報を閲覧する機器を接続するための閲覧機器接続手段と
を有することを特徴とする受変電設備情報閲覧装置。
【請求項３】
少なくとも２つの受変電設備を監視する中央監視設備と情報を送受信可能に接続された前記受変電設備のうちの１つに設けられ、前記受変電設備に関する情報である受変電設備情報を閲覧するための受変電設備情報閲覧装置であって、
前記受変電設備情報のうち閲覧する情報である閲覧情報を特定するための条件を取得する閲覧情報条件取得手段と、
前記閲覧情報条件取得手段により取得した条件に基いて、前記中央監視設備から前記閲覧情報を取得する閲覧情報取得手段と、
前記閲覧情報取得手段により取得した前記閲覧情報を閲覧する閲覧手段と
を有することを特徴とする受変電設備情報閲覧装置。
【請求項４】
少なくとも２つの受変電設備を監視する中央監視設備と情報を送受信可能に接続された前記受変電設備のうちの１つに設けられ、前記受変電設備に関する情報である受変電設備情報を閲覧するための受変電設備情報閲覧装置であって、
前記受変電設備情報のうち閲覧する情報である閲覧情報を特定するための条件を取得する閲覧情報条件取得手段と、
前記閲覧情報条件取得手段により取得した条件に基いて、前記中央監視設備から前記閲覧情報を取得する閲覧情報取得手段と、
前記閲覧情報取得手段により取得した前記閲覧情報を閲覧する機器を接続するための閲覧機器接続手段と
を有することを特徴とする受変電設備情報閲覧装置。
【請求項５】
前記受変電設備のうちの１つに音声情報を送信する音声情報送信手段と、
前記音声情報送信手段が前記音声情報を送信する該受変電設備から音声情報を受信する音声情報受信手段と
を有することを特徴とする請求項１から請求項４のいずれか１項に記載の受変電設備情報閲覧装置。
【請求項６】
請求項１から請求項５のいずれか１項に記載の受変電設備情報閲覧装置を
有することを特徴とする受変電設備。
【発明の詳細な説明】
【技術分野】
【０００１】
本発明は、受変電設備に関する情報を閲覧する受変電設備情報閲覧装置に関する。
【背景技術】
【０００２】
一般的に、電力系統における受変電設備は、多数の変電所に点在している。そのため、受変電設備の管理及び運用には多くの労力を伴う。
【０００３】
そこで、これらの労力を軽減するための提案がされている。例えば配電系統においては、自営業所の配電線監視制御装置から他営業所の配電線監視制御装置の処理機能と設備データを利用して他営業所の管轄系統を運用することが開示されている（例えば、特許文献１参照）。
【特許文献１】特開２００３−２８４２６２号公報
【発明の開示】
【発明が解決しようとする課題】
【０００４】
しかしながら、中央監視設備が設けられている場合、多数の変電所が点在している例えば自家用受変電設備における総合試験では、中央監視からインターホンを使用して全ての変電所の試験員に指示するために、多くの困難が伴う。例えば、各変電所にて試験をする試験員には、インターホンを通した情報（聴覚による情報）しか得られないため、全体の試験状況や他の変電所の状況が分かり難い。また、中央監視は、全ての変電所と試験するため、試験中でない変電所と連絡を頻繁にとることは困難である。
【０００５】
このため、試験員は、不要な待機を強いられたり、他変電所との連係がうまくいかなかったりすることがある。その結果として、総合試験に不必要に時間を費やすことがある。
【０００６】
そこで、本発明の目的は、中央監視設備の設けられた電力系統において、他の変電所の受変電設備に関する情報を閲覧することのできる受変電設備情報閲覧装置を提供することにある。
【課題を解決するための手段】
【０００７】
本発明の観点に従った受変電設備情報閲覧装置は、少なくとも２つの受変電設備を監視する中央監視設備と情報を送受信可能に接続され、前記受変電設備に関する情報である受変電設備情報を閲覧するための受変電設備情報閲覧装置であって、前記受変電設備情報のうち閲覧する情報である閲覧情報を特定するための条件を取得する閲覧情報条件取得手段と、前記閲覧情報条件取得手段により取得した条件に基いて、前記中央監視設備から前記閲覧情報を取得する閲覧情報取得手段と、前記閲覧情報取得手段により取得した前記閲覧情報を閲覧する閲覧手段と備えた構成である。
【発明の効果】
【０００８】
本発明によれば、中央監視設備の設けられた電力系統において、他の変電所の受変電設備に関する情報を閲覧することのできる受変電設備情報閲覧装置を提供することができる。
【発明を実施するための最良の形態】
【０００９】
以下図面を参照して、本発明の実施形態を説明する。
【００１０】
図１は、本発明の実施形態に係る受変電設備情報閲覧装置の適用された構成を示すブロック図である。なお、以降において、同一部分には同一符号を付してその詳しい説明を省略し、異なる部分について主に述べる。以降の実施形態も同様にして重複した説明を省略する。
【００１１】
本受変電設備情報閲覧装置の適用された構成は、中央監視設備２と、中央監視設備２により監視される受変電設備を有する変電所１，１Ａ〜１Ｎとからなる。各変電所には、中央監視設備２と光ケーブルＫ１で接続されたリモートステーション３と、リモートステーション３とメタルケーブルＫ２で接続された電力盤６とを有する。電力盤６に組み込まれた専用基板７は、リモートステーション３の入出力部であるリモートステーション入出力部４と専用ケーブルＫ３で接続されている。また、専用基板７は、専用コネクタ５と専用ケーブルＫ３で接続することで、モニター１２と接続している。
【００１２】
中央監視設備２は、各変電所１，１Ａ〜１Ｎに設けられている受変電設備の監視をする設備である。
【００１３】
リモートステーション３は、中央監視設備２から入力された受変電設備に関する各種データ（電力系統状態、計測データ、故障履歴）である受変電設備情報を光信号から電気信号に変換して、電力盤６に出力する。リモートステーション３は、専用ケーブルＫ３を介して専用基板７から入力されたアクセスデータを含む電気信号から光信号に変換し、中央監視設備２に出力する。リモートステーション３は、メタルケーブルＫ２を介して電力盤６の受変電設備情報を含む電気信号を光信号に変換し、中央監視設備２に出力する。
【００１４】
アクセスデータは、他の変電所１Ａ〜１Ｎの受変電設備情報を閲覧するために、中央監視設備２にアクセスするためのアクセスデータである。アクセスデータは、受変電設備情報のうち閲覧する情報である閲覧情報を特定するための条件が含まれている。
【００１５】
電力盤６は、受変電設備の一つである。電力盤６は、主にコンピュータにより動作している。電力盤６は、メタルケーブルＫ２により、リモートステーション３と一般制御用信号の入出力を行う。これにより、電力盤６に関する各種データ（電力系統状態、計測データ、故障履歴）は、リモートステーション３を介して、中央監視設備２に出力される。
【００１６】
専用基板７は、受変電設備情報を閲覧するため機能のための専用の基板である。専用基板７は、専用ケーブルＫ３により、モニター１２から入力されたアクセスデータをリモートステーション３に送信する。専用基板７は、専用ケーブル３により、リモートステーション３で電気信号に変換された受変電設備情報を受信し、モニター１２に出力する。専用基板７は、専用ケーブルＫ３を介して、リモートステーション３と音声情報の送受信をする。専用基板７は、中央処理装置、各種プロセッサ、各種記憶素子（例えば、各種メモリ及びＲＯＭ(read-only memory)など）、ソフトウェア、ファームウェアなどにより構成されている。
【００１７】
モニター１２は、試験員（監視員）が閲覧情報を特定するための条件を入力するために用いる。モニター１２は、アクセスデータに基いて得られた閲覧情報を、試験員（監視員）が閲覧するために用いる。モニター１２は、音声入力及び音声出力をすることができる。
【００１８】
専用基板７は、中央監視データ入出力部８と、データ変換部９と、外部入出力部１０とからなる。
【００１９】
中央監視データ入出力部８は、リモートステーション３にて変換された受変電設備情報（電力系統状態、計測データ、故障履歴）を含む電気信号がリモートステーション３から入力される。中央監視データ入出力部８は、データ変換部９により処理されたアクセスデータを含む電気信号をリモートステーション３に出力する。
【００２０】
データ変換部９は、中央監視データ入出力部８から入力されたデータをモニター１２に表示することに適したデータに加工する処理をする。データ変換部９は、外部入出力部１０から入力された閲覧情報を特定するための条件を含む情報を、中央監視設備２にアクセスすることに適したデータに加工する処理をする。
【００２１】
外部入出力部１０は、データ変換部９により処理された中央監視設備２から受信した閲覧情報（電力系統状態、計測データ、故障履歴）を含む電気信号が入力され、モニター１２に出力する。外部入出力部１０は、モニター１２から入力された閲覧情報を特定するための条件を含む情報を、データ変換部９に出力する。
【００２２】
図２は、本実施形態に係る受変電設備情報閲覧装置における閲覧情報の閲覧時のデータフロー図である。
【００２３】
閲覧者は、各変電所１Ａ〜１Ｎにおける受変電設備情報の閲覧したいデータ（閲覧情報）にアクセスする。閲覧者は、中央監視設備２に集約されたデータの中から、閲覧情報を特定するための条件を入力する。特定する条件は、変電所名、設備名、データの種類（電力系統状態、計測データ、故障履歴）などである。
【００２４】
閲覧者が入力した条件は、アクセスデータとして、中央監視設備２へのデータフローｆ１に従って、送信される。
【００２５】
変電所１Ａ〜１Ｎは、受変電設備情報を中央監視設備２に常時送信している。
【００２６】
閲覧情報は、アクセスデータに基いて、中央監視設備２に集約されたデータの中から抽出され、データフローｆ２に従って、モニター１２に送信される。
【００２７】
閲覧者（試験員）は、モニター１２に送信された閲覧情報（アクセスしたデータ）を閲覧する。
【００２８】
図３は、本実施形態に係る受変電設備情報閲覧装置における音声通信時のデーフロー図である。
【００２９】
試験員は、モニター１２に対して話し掛けることで、音声入力を行う。
【００３０】
専用基板７は、モニター１２から入力された音声を音声情報として、中央監視設備２へのデータフローｆ１１に従って、送信される。音声情報は、各変電所１Ａ〜１Ｎに、データフローｆ１３に従って、送信される。これにより、各変電所１Ａ〜１Ｎの試験員は、変電所１の試験員からの話を聞くことができる。
【００３１】
同様にして、各変電所１Ａ〜１Ｎの試験員は、話し掛けることにより、音声情報として、データフローｆ１４に従って、送信される。これにより、変電所１の試験員は、データフローｆ１２に従って受信した音声情報を、モニター１２から出力される音声として聞くことができる。このようにして、各変電所１Ａ〜１Ｎの試験員からの話を聞くことができる。
【００３２】
本実施形態によれば、他変電所から中央監視設備に集約されるデータを、自変電所にて閲覧でき、全体の変電所（他変電所）の状況を把握することができる。
【００３３】
受変電設備の総合試験において、点在する各変電所の試験員に対し、全体の試験状況や他変電所の状況を即座に入手することができるため、自変電所の置かれている状況や他変電所との関係が分かり易くなり、総合試験をスムーズに行うことができる。
【００３４】
また、運用中においても、ある変電所にいながら、自変電所及び他変電所の情報を入手することができるため、リアルタイムな情報管理ができる。
【００３５】
さらに、モニターの音声通信機能により、データ画像を閲覧しながら、中央監視設備及び他変電所の試験員（監視員）と情報のやり取りができるため、相互認識のずれを防ぐことができる。
【００３６】
本実施形態に係る受変電設備情報閲覧装置は、電力盤６に実装された形態について説明したが、中央監視設備２と情報を送受信可能に接続されていれば、電力盤６から独立した装置としてもよい。送受信可能に接続とは、中央監視設備２と直接ケーブル等によって接続されることのみではなく、間に機器が介在する場合の接続を含む。
【００３７】
本実施形態において、ケーブルＫ１，Ｋ２，Ｋ３は、他の種類のケーブルであってもよい。光ケーブル、メタルケーブル又はその他のケーブルのいずれを使用するものでもよい。
【００３８】
本実施形態において、音声通信に関する機能は取り除いても、自変電所及び他変電所の情報を入手し、視覚によって認識できるため、全体の状況を把握することできる。従って、このような実施形態でも、通話に関する作用効果以外においては、本実施形態における効果とほぼ同等の効果を得ることができる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】本発明の実施形態に係る受変電設備情報閲覧装置の適用された構成を示すブロック図。
【図２】本実施形態に係る受変電設備情報閲覧装置における閲覧情報の閲覧時のデータフロー図。
【図３】本実施形態に係る受変電設備情報閲覧装置における音声通信時のデーフロー図。
【符号の説明】
【００４１】
１，１Ａ，１Ｎ…変電所、２…中央監視設備、３…リモートステーション、４…リモートステーション入出力部、５…専用コネクタ、６…電力盤、７…専用基板、８…中央監視データ入出力部、９…データ変換部、１０…外部入出力部、１２…モニター、Ｋ１…光ケーブル、Ｋ２…メタルケーブル、Ｋ３…専用ケーブル。
【図１】
2008061353.tif 000003
【図２】
2008061353.tif 000004
【図３】
2008061353.tif 000005